(57)【要約】【課題】複雑な製造工程を経ることなく、安価で容易な手段により、カードを着脱可能に接着できるとともに、カードを確実に保持でき、またカード外観を傷つけることなく、しかもカード剥離後のカード接着面に全くベタ付きが残らないカード送付用台紙を提供する。【解決手段】刻印カード情報５が透視できるカバーフィルム８の一端部を、強接着部９を介して、台紙本体６と剥離不能に接着させる。さらに台紙本体６に弱粘着部１１を設け、この弱粘着部１１を介して、カバーフィルム８とこのカバーフィルム８で被覆されるカード１０とを台紙本体６に着脱可能に粘着させる。【選択図】  図１
2005225212.tif 000002
【特許請求の範囲】
【請求項１】
台紙本体の一面の所定部にカバーフィルム被覆領域とカード情報印字領域を設け、前記カバーフィルム被覆領域はその上に載置したカードの刻印カード情報が透視可能なカバーフィルムで被覆され、前記カバーフィルムの一端部を前記台紙本体と剥離不能に接着させるとともに、前記カバーフィルム被覆領域に、前記カードと前記カバーフィルムを着脱可能に接着する弱粘着部を形成したことを特徴とするカード送付用台紙。
【請求項２】
カバーフィルム被覆領域内の周縁部に弱粘着部を形成しない剥離の切っ掛けとなる指掛け部を有することを特徴とする請求項１記載のカード送付用台紙。
【発明の詳細な説明】
【技術分野】
【０００１】  本発明は、封筒に封入してカードを送付するための台紙に関するものである。さらに詳しくは、複雑な製造工程を経ることなく、安価に容易な手段によりカードを着脱可能に接着するとともに、これを確実に保持でき、カード外観を傷つけることなく、カード剥離後のカード接着面に全くベタ付きが残らないカード送付用台紙に関するものである。
【背景技術】
【０００２】  従来のカード送付用台紙は図６（イ）に示すように台紙ｃに施した切込みｂにカードａのコーナーを挟み込んでカードを保持したり、図６（ロ）に示すように台紙ｃとカバーフィルムｄを剥離不能にコの字状に貼り合わせて開口部ｅを設けてカードａを挿入保持したり、または図６（ハ）に示すように台紙ｃ上に弱粘着剤ｆを斑点状に塗布し、その粘着性をもってカードを仮接着したり、あるいは図６（ニ）に示すようにカードａの裏面と台紙ｃ上との間にＰＥＴフィルム層ｇとＰＥフィルム層ｈを設け、両フィルム層を加熱・加圧させてフィルム層間で疑似接着させたりする方法が一般的であった。
【発明の開示】
【発明が解決しようとする課題】
【０００３】  従来であれば台紙に施した切込みにカードのコーナーを挟み込む方法や台紙とカバーフィルムをコの字状に剥離不能に貼り合わせて開口部を設けてカードを挿入保持したりする方法では、郵送途中とくに郵便局でのバーコード区分装置においてはカードが切込みやカード挿入開口部から飛び出してカード自身が破損を生じるだけでなく、それに伴いバーコード区分装置での搬送障害を発生するといった問題があった。【０００４】  また上記の問題を鑑みて台紙上に弱粘着剤を斑点状に塗布し、剥離可能にカードを仮接着する方法も考案され、カードが台紙に確実に保持されているため前述の課題を解決するに至ったものの、カード接着部または台紙そのものにベタ付きが残るという新たな課題を有していた。【０００５】  あるいはカードの裏面と台紙上との間にＰＥＴフィルム層とＰＥフィルム層を設け、両フィルム層を加熱・加圧させる方法では、カード情報印字面とカード保持部が同一面にできるという長所はあるものの、製造工程が複雑になって、製造コストが上がるといった問題があった。【０００６】  さらに、カードを送付台紙に手で設置する場合、台紙の切込みにカードを挟み込む方法ではカードを装填する際に切込みが必要以上に広がり保持力が低下したり、また台紙とカバーフィルムを剥離不能にコの字状に貼り合わせて開口部を設けてカードを挿入設置する方法ではカードの挿入時にカバーフィルムに余分な負荷がかかり破れたりするといった問題があった。また、台紙の切込みにカードを挟み込む方法では、挟み込む際にカードを少しゆがめなければならないため、送付するカードがＩＣカードであった場合、ＩＣ部分を損傷する恐れがあった。
【課題を解決するための手段】
【０００７】  本発明は上記従来例の問題点を解消するため、台紙本体の一面の所定部にカバーフィルム被覆領域とカード情報印字領域を設け、前記カバーフィルム被覆領域はその上に載置したカードの刻印カード情報が透視可能なカバーフィルムで被覆され、前記カバーフィルムの一端部を前記台紙本体と剥離不能に接着させるとともに、前記カバーフィルム被覆領域に、前記カードと前記カバーフィルムを着脱可能に接着する弱粘着部を形成したことを特徴とする。すなわち本発明によれば、封筒に封入してカードを送付するための台紙であって、カード情報印字面とカード保持部とを同一面にすることが可能となり、さらに複雑な製造工程を経ることなく、安価に容易な手段によりカードを着脱可能に確実に保持でき、カード外観を傷つけることなく、カード剥離後のカード接着面に全くベタ付きが残らないカード送付用台紙を提供することを可能とするものである。【０００８】  上記発明において、カバーフィルム被覆領域内の周縁部に弱粘着部を形成しない剥離の切っ掛けとなる指掛け部を設けると好適である。このような構成にすることにより、台紙本体からカードを着脱する場合、剥離の切っ掛けとなる指掛け部は、つまみとして利用でき、簡単にカバーフィルムやカードを破損せずに剥離・取り外ししやすく使い勝手の良いようにすることができる。
【発明の効果】
【０００９】      本発明のカード送付用台紙によれば、カバーフィルムの一端部を強接着部を介して台紙本体と接着させることで、確実にカバーフィルムの一端部を台紙本体に剥離不能に保持可能であり、カード情報が印字された台紙本体に、カードを保持するための弱粘着部を設けることによって、カードの刻印カード情報が透視可能なカバーフィルムを一体化して保持しているため、カード情報印字面とカード保持部が同一面にすることが可能となり、さらに複雑な製造工程を経ることなく、安価に容易な手段によりカードを着脱可能に確実に保持でき、カード外観を傷つけることなく、カード剥離後のカード接着面に全くベタ付きが残らないカード送付用台紙を提供することが可能となる。さらにはカードを剥離・取り外しした後も弱粘着部はカバーフィルムが被覆しているので、台紙の保管の際にも別体に粘着することなく、汚損の恐れも生じないといった効果を奏する。
【発明を実施するための最良の形態】
【００１０】  以下に本発明の第１の実施形態を図１（ａ）〜図１（ｂ）に基づいて詳細に説明する。図１（ａ）は第１の実施形態に係るカード送付用台紙１の平面図である。図１（ｂ）は第１の実施形態に係るカード送付用台紙１の断面図である。このカード送付用台紙１は封筒に封入してカードを送付するための台紙であって、表面２に宛名情報３とカード情報４が印字された台紙本体６とその台紙本体６の両端にプリンタ装置での印字または封入封緘装置での自動封入するための移送孔７を設け、また透明もしくは半透明なカバーフィルム８の一端部を前記台紙本体６と剥離不能に接着させるための強接着部９を設けるとともに、カバーフィルム８とカード１０を仮止めさせるための弱粘着部１１を設けている。【００１１】  前記カード送付用台紙１は図１（ａ）に示すように一般的には定形郵便物サイズに封入できるサイズのもので台紙本体６の表面２には送付先の住所・氏名などの宛名情報３が印字されており、カード１０の表面には「キャッシュカード」や「会員カード」としての氏名・会員番号・口座番号など刻印カード情報５が刻印されている。つまり台紙表面２の宛名情報３とカード情報４及び刻印カード情報５は同一面にあるため、カード１０をカード保持部に配置する際の照合を容易にすることが可能である。【００１２】  また、カード送付用台紙１は図１（ｂ）に示すように台紙本体６のカバーフィルム被覆領域１２の所定の位置に施した弱粘着部１１を介して、カバーフィルム８と、これと台紙本体６との間に配したカード１０とを仮止めし、さらにカバーフィルム８はその一端部において、前記台紙本体６と剥離不能に強接着部９を介して接着させている。上記カバーフィルム８は安価であることはもちろん、入手しやすく、透明性が高いものを選択することが好ましい。例えば有色透明又は無色透明にしやすいポリエチレンテレフタレート、ポリエチレン、ポリプロピレン、ポリ塩化ビニル、ポリスチレン及びポリカーボネートなどから選択すればよい。また弱粘着部１１や強接着部９との接着性・剥離性、さらにはカバーフィルム面へのプリンタ装置における印字記録適性などに応じた、帯電防止処理・コロナ放電処理などの表面処理を施しておくことが望ましい。【００１３】  弱粘着部１１の形成はあらかじめ用紙に塗布しておいてもよく、台紙本体６を印刷した工程後に塗布してもよく、適宜状況に合わせて選択される。弱粘着部１１は前者の場合あらかじめ用紙に塗布しておくため、巻取紙の状態でも基材が破損しない程度、さらには前述カバーフィルム８とカード１０が破損しない程度で接着していればよい。【００１４】  強接着部９は、酢酸ビニル・アクリル酸エステル・天然ゴム・合成ゴムなどを主成分としたエマルジョン系の水性粘着剤やホットメルト粘着剤をグラビアコーター、エアナイフコーター、バーコーターなどの塗布方式やグラビア印刷、フレキソ印刷など印刷方式によって適宜選択的に取り扱うことができる。【００１５】  弱粘着部１１は前述強接着部９と同様の粘着剤を主剤として選択することができるが、粘着剤本来の粘着性を弱化させるために平均粒子径１〜２０μｍの微球状アクリル樹脂、微球状ポリエチレン、ガラス粉末、シリカ、酸化チタン、各種デ���プンなどを適宜選択して添加しておき、所望の接着性能になるように調整しておくことが望ましい。また、弱粘着部１１の塗布量は台紙本体６との接着性や、カバーフィルム８とカード１０との剥離性、さらには前述のごとく台紙本体を印刷した工程後に塗布した場合の塗布面の印刷が視認できる透明性を配慮すると好ましくは３〜２５ｇ／ｍ２、さらに好ましくは５〜１５ｇ／ｍ２を選択すると好適である。【００１６】  次に本発明の第２の実施形態を図２に基づいて説明する。図２のように弱粘着部１１の塗布パターンは、前記カバーフィルム８の被覆領域１２内であって、前記台紙本体６と前記カバーフィルム８を剥離不能に接着させた強接着部９を除く周縁部に弱粘着部を形成しないように小さくして非粘着部１４を形成することで、剥離の切っ掛けとなる指掛け部１３を設けたパターンになっている。このような構成にすることにより、台紙本体６からカード１０を着脱する場合、指掛け部１３は、つまみとして利用でき、簡単にカバーフィルム８やカード１０を破損せずに剥離・取り外ししやすく使い勝手の良いようにすることができる。【００１７】  図３は前述第２の実施形態において、カバーフィルム８を剥離した状態の一例を示したものであり、長方形のカバーフィルム被覆領域１２において、左短辺から１／１０程度の領域に強接着部９、右短辺から１／１０程度の領域に非粘着部１４、それらに挟まれた領域に弱粘着部１１を形成する構成としている。強粘着部９により、カバーフィルム８の一端部は確実に台紙本体６に剥離不能に保持することができ、弱粘着部１１により、カバーフィルム８とカード１０を確実に保持できるとともに着脱可能に接着し、また、非粘着部１４を形成することにより、指掛け部１３をつまみとして利用でき、カバーフィルム８やカード１０を簡単に剥離・取り外ししやすく使い勝手の良いようにすることができる。なお、強接着部９、弱粘着部１１、非粘着部１４の領域の大きさ、連続性・非連続性の選択などは諸条件により、適宜変更してもよい。【００１８】  さらに、本発明の第３の実施形態を図４に基づいて説明する。透明なカバーフィルム８上であって、刻印カード情報５が透視可能になるように、宣伝広告等の画像情報１５を配置して印刷を施している。このように画像情報１５を印刷することによって、前述効果に加えて、美観性が良くなり、消費者の購買意欲をかきたてるという効果を奏する。また第３の実施形態はカバーフィルム８の上面から印刷しているが、別態として透明なカバーフィルム８の下面から鏡像印刷しても同様の効果を得ることができる。なお、画像情報１５の印刷方式については、ビジネスフォーム用のオフセット輪転式をはじめ、グラビア印刷、シルクスクリーン印刷などから適宜選択すればよく、印刷インキも同様に上記印刷方式とあわせて紫外線硬化型インキ、酸化重合型インキなどから適宜選択すればよい。【００１９】  なお、使用方法については図５に示すようにプリンタ装置で宛名情報３などの可変情報を印字した台紙本体６にカード１０とこれを被覆する透明または半透明なカバーフィルム８を一体化して貼着させて、宛名情報３が窓あき封筒１６に表出するように封入封緘し、受取人に送付するものである。
【図面の簡単な説明】
【図１】（ａ）は本発明のカード送付用台紙の第１の実施形態の平面図、（ｂ）は（ａ）のＡ−Ａ断面図
【図２】本発明のカード送付用台紙の第２の実施形態の断面図
【図３】本発明のカード送付用台紙の第２の実施形態においてカバーフィルムを剥離したときの例を示す平面図
【図４】本発明のカード送付用台紙の第３の実施形態を示す平面図
【図５】本発明のカード送付用台紙の使用説明図
【図６】従来のカード送付用台紙の各例を（イ）、（ロ）、（ハ）、（ニ）に示す平面図
【符号の説明】
１  カード送付用台紙
２  表面
３  宛名情報
４  カード情報
５  刻印カード情報
６  台紙本体
７  移送孔
８  カバーフィルム
９  強接着部
１０  カード
１１  弱粘着部
１２  カバーフィルム被覆領域
１３  指掛け部
１４  非粘着部
１５  画像情報
１６  窓あき封筒
【図１】
2005225212.tif 000003
【図２】
2005225212.tif 000004
【図３】
2005225212.tif 000005
【図４】
2005225212.tif 000006
【図５】
2005225212.tif 000007
【図６】
2005225212.tif 000008